(57)【要約】      （修正有）【課題】鉄と面ファスナーのメリットを結合することの可能な面ファスナー付き磁気装置を提供すること。【解決手段】面ファスナー付き磁気装置であって、溝が成形された面を有する磁性体と、上記溝に固定され、磁性体及び面ファスナーからの磁力、引っ掛け力によって機能する面ファスナーとからなることを特徴とする、面ファスナー付き磁気装置である。面ファスナーと磁気装置の二重の効果があるため、便利な磁気付着だけでなく、面ファスナーの簡単な引っ掛けも得られる。【選択図】図１
0003147683.tif 000002
【実用新案登録請求の範囲】
【請求項１】
面ファスナー付き磁気装置であって、
溝が成形された面を有する磁性体と、
上記溝に固定され、磁性体及び面ファスナーからの磁力、引っ掛け力によって機能する面ファスナーと、からなることを特徴とする、
面ファスナー付き磁気装置。
【請求項２】
請求項１に記載の面ファスナー付き磁気装置において、上記溝は、磁性体に穴を成形し、上記穴の中に底層を追加することによって成形されることを特徴とする面ファスナー付き磁気装置。
【請求項３】
請求項１に記載の面ファスナー付き磁気装置において、磁性体は、軟質材で構成されることを特徴とする面ファスナー付き磁気装置。
【請求項４】
請求項１に記載の面ファスナー付き磁気装置において、面ファスナーは、雄であることを特徴とする面ファスナー付き磁気装置。
【請求項５】
請求項１に記載の面ファスナー付き磁気装置において、面ファスナーは、雌であることを特徴とする面ファスナー付き磁気装置。
【請求項６】
請求項１に記載の面ファスナー付き磁気装置において、上記溝は、上記面の中心に配置されることを特徴とする面ファスナー付き磁気装置。
【請求項７】
面ファスナー付き磁気装置であって、
面を有する磁性体と、
上記面に固定され、磁性体及び面ファスナーからの磁力、引っ掛け力によって機能する面ファスナーとからなることを特徴とする、
面ファスナー付き磁気装置。
【請求項８】
請求項７に記載の面ファスナー付き磁気装置において、磁性体は、軟質材で構成されることを特徴とする面ファスナー付き磁気装置。
【請求項９】
請求項７に記載の面ファスナー付き磁気装置において、面ファスナーは、雄であることを特徴とする面ファスナー付き磁気装置。
【請求項１０】
請求項７に記載の面ファスナー付き磁気装置において、面ファスナーは、雌であることを特徴とする面ファスナー付き磁気装置。
【考案の詳細な説明】
【技術分野】
【０００１】
本考案は、面ファスナー付き磁気装置、特に面ファスナーを面に付いている磁気装置に関するものである。
【背景技術】
【０００２】
従来の貼り付け手段としては、糊、磁気、又は面ファスナーが行われており、この形で様々な面に付けることができるが、ほとんどの場合には繰り返し使用ができないという致命的な欠陥がある。特に、糊を使うと再利用できない。
【０００３】
一方、従来の磁気や面ファスナーは、再利用できるというメリットがある。磁気よれば、鉄やコバルト等に付着できるため、日常生活に広範囲に応用されてきた。
【０００４】
例えば、特定設計で使われた磁気が、よく家庭冷蔵庫に付けられている。また、従来の面ファスナーは雄部と雌部から構成されて、この雄部と雌部が互いに密着固定できる。また、必要に応じてこの構成を分離でき、その後簡便な作用によって再固定できる。
【０００５】
このような面ファスナー又は磁気は簡単に利用をできるように設計されたものの、欠陥がある。
磁気を使った貼り付けは、鉄系の物でなければ付着できないため、ある面が鉄以外の材料で成形されている場合には磁気による貼り付けができず、不便である。
面ファスナーを使った貼り付けは、様々な面に付けられるものの、雄部を付けられるために雌を先に鉄系金属材に付ける必要がある。
【考案の開示】
【考案が解決しようとする課題】
【０００６】
上記の通り、従来の技術には下記の欠陥がある。
（１）糊を使う貼り付けは、再利用ができない。
（２）磁気を使う貼り付けは、鉄系金属材や磁化物のみに付着できる。
（３）面ファスナーを使った貼り付けは、雌を先に鉄系金属材に付ける必要がある。
【０００７】
従って、本実用新案の主な課題は、上記のような欠陥を解除するとともに、鉄と面ファスナーのメリットを結合することの可能な面ファスナー付き磁気装置を提供することにある。
【課題を解決するための手段】
【０００８】
本発明の目的は、新規設計のある、進歩的な面ファスナー付き磁気装置を提供することにある。この目的を達するために、本発明の磁気体の面には溝が設け、この溝に雄部又は雌部を挿入する。本発明は磁気体だけでなく、面ファスナーでも作用する。
【０００９】
本発明の面ファスナー付き磁気装置は、溝が成形された面を有する磁性体と、上記溝に固定され、磁性体及び面ファスナーからの磁力、引っ掛け力によって機能する面ファスナーとからなるものである。
【００１０】
上記溝は、磁性体に穴を成形し、上記穴の中に底層を追加することによって成形される。
【００１１】
また、磁性体は、軟質材で構成される。
【００１２】
また、面ファスナーは、雄または雌であって、その面の中心に上記溝が成形される。
【００１３】
また、本発明の面ファスナー付き磁気装置は、溝が成形された面を有する磁性体と、上記溝に固定され、磁性体及び面ファスナーからの磁力、引っ掛け力によって機能する面ファスナーとからなるものである。
【考案の効果】
【００１４】
本発明によれば、面ファスナーと磁気によって、以下のメリットを得ることができる。
（１）面ファスナーと磁気のメリットがあり、これによって二重の効果が得られる。
（２）本発明の面ファスナー磁気装置は再利用が可能で再び引っ掛けたり、付着したりできる。
（３）ユーザは自由に付ける所を選択できるので、ユーザにとっての便利さが向上する。
【考案を実施するための最良の形態】
【００１５】
図１は本発明の面ファスナー付き磁気装置において面ファスナーと磁気の高機能化と、その装置の磁気体１１、面１２、及び面ファスナー１３を示す図である。
【００１６】
図２は本発明の面ファスナー付き磁気装置において面ファスナーと磁気の高機能化と、その装置の磁気体１１、面１２、及び溝１４を示す断面図である。この面ファスナー１３がどのようにしても溝１４に付着可能である。
【００１７】
本発明において、磁気体１１の面１２に溝１４が成形されて、この溝に面ファスナー１３が設けられる。溝１４の領域外にある磁気部は磁性物に付着できる。溝１４の中にある面ファスナーもどこの所でも付着できる。ユーザは自由に付ける所を選択できる。このような２重機能があるため、ユーザの選択範囲は実質的に無制限である。
【００１８】
図３は発明の面ファスナー付き磁気装置と、その磁気体１１、面１２、及び溝１４を示す断面図である。本発明によって、面ファスナー１３をどのような形でも磁気体１１の面１２に付着できる。このような設計と２重機能により、ユーザの付着方法を選択したいという需要を満たすことができる。
【００１９】
図４は面ファスナー付き磁気装置において空洞化した磁気体中の底層と、その装置の磁気体１１、面１２、面ファスナー１３、穴４１、及び底層４２を示す分解立体図である。図２に示すような穴４１において穴を成形し、さらにその穴に底層を成形する。この底層には磁気、プラスチック、紙等の物が付けられる。そのような物を付けるのは、圧締、取り付け、糊付け等の手段によってできる。
【００２０】
本発明の磁気は、軟質材によって構成してもいい。溝に設ける面ファスナーは雄部または雌部である。溝は装置の中心、それとも他の領域に配置してもいい。
溝のサイズや形は必要に応じて返ってもいい。市場の要求に応えて、磁気体の裏面には任意の図柄があってもいい。また、溝中に設ける面ファスナー１３をどこの所でも付着してもいい。
【００２１】
上記を要約すれば、本発明の面ファスナー付き磁気装置において、磁気体の面に溝が成形して、その溝に面ファスナーが挿入されることにより、便利な磁気着付だけではなく、面ファスナーの簡単な引っ掛けも得られる。この新規設計によって、様々なサイズに変化し、溝を様々な形やサイズに変形し、溝の様々な領域に様々な種類の磁気をつけることができるので、著しい実行可能性を得られる。磁気体の面に面ファスナーが設けるため、このような機能がある。
【００２２】
また、本発明は必ずしも上記のような実施例に限るものではない。一方、様々な修正をカバーするように設計された。つまり、本発明は、対象の広い範囲でこのような修正をカバーできるように設計されたものである。
【図面の簡単な説明】
【００２３】
【図１】本発明の面ファスナー付き磁気装置を示す図である。
【図２】面ファスナーで構成された磁気装置を示す断面図である。
【図３】面ファスナーが付着した磁気装置を示す断面図である。
【図４】磁気装置、及びその底層を示す断面図である。
【符号の説明】
【００２４】
１１  磁気体
１２  面
１３  面ファスナー
４１  穴
４２  底層
【図１】
0003147683.tif 000003
【図２】
0003147683.tif 000004
【図３】
0003147683.tif 000005
【図４】
0003147683.tif 000006